(57)【要約】【課題】  本発明は３個のリールの内の１個以上あるいは中央部、上部、下部のリールの表示部を見えたり、見えなくなるように回動させる回動カバーを、モータを用いた回動カバー開閉装置によって回動させて、より多彩な展開を行なうことができる、ゲーム者に期待感を与えることができ、飽きられることのない表示器を得るにある。【解決手段】  縦方向あるいは横方向に３個それぞれリール駆動モータで駆動されるリールが整列された表示器において、３個のリールの内の１個以上のリール表示部を見えたり、見えなくすることができるように回動する回動カバー、この回動カバーをリールの表示部が見えたり、見えなくなるように回動させるモータを用いた回動カバー開閉機構とからなるシャッタを備えて表示器を構成している。  【選択図】  図２
2009291442.tif 000002
【特許請求の範囲】
【請求項１】
縦方向あるいは横方向に３個それぞれリール駆動モータで駆動されるリールが整列された表示器において、３個のリールの内の１個以上のリール表示部を見えたり、見えなくすることができるように回動する回動カバー、この回動カバーをリールの表示部が見えたり、見えなくなるように回動させるモータを用いた回動カバー開閉機構とからなるシャッタを備えたことを特徴とする表示器。  
【請求項２】
縦方向と横方向に３個ずつそれぞれリール駆動モータで駆動されるリールが整列された９リール表示器において、９個のリールの内の中央部のリールの表示部を見えたり、見えなくすることができるように回動する中央回動カバー、この中央回動カバーを中央部のリールの表示部が見えたり、見えなくするように回動させるモータを用いた中央回動カバー開閉機構からなる中央シャッタと、前記９個のリールの内の上部列の３個のリールあるいは上部列の両端部のリールおよび下部列の３個のリールあるいは下部列の両端部のリールの表示部を見えたり、見えなくすることができるように回動する上・下部の回動カバー、この上・下部の回動カバーのリールの表示部が見えたり、見えなくなるように回動させるモータを用いた上・下部の回動カバー開閉機構からなる上・下部のシャッ
タとからなることを特徴とする表示器。
【請求項３】
中央回動カバー開閉機構は取付ベースの内側に配置される他側面の中央部のリール駆動モータの軸心とほぼ同じ軸心となる軸に回転可能に取付けられた外周部に歯車の歯が形成された中央回動カバー支持板およびこの中央回動カバー支持板の対向する位置に一端部が一体に形成された、マスクの開口から中央のリールユニットの中央部のリールの表示部を見えたり、見えなくするようにカバーする円弧状のカバー板とからなる中央回動カバーと、この中央回動カバーの中央回動カバー支持板の歯と噛み合うように、シャッタ駆動用モータの駆動軸に取付けられたピニオン、このピニオンと噛み合うラックが形成された取付ベースに形成された上下方向の勘合突起に沿って上下移動するラック板、このラック板の上端部および中央部より外方へ突出するように形成された遮光板およびラッ
ク板が下部に位置して中央回動カバーの一方のカバー板で表示部を覆っている場合に、上端部の遮光板の位置している部位、ラック板が中央部まで移動して中央回動カバーの両方のカバー板が表示部を覆わない状態で、上端部の遮光板および中央部の遮光板の位置している部位およびラック板が上部へ移動して、中央回動カバーの他方のカバー板で表示部を覆っている場合に、中央部の遮光板が位置している部位の取付ベースに取付けられたフォトセンサとで構成されていることを特徴とする請求項２記載の表示機。
【発明の詳細な説明】
【技術分野】
【０００１】
本発明はパチンコやスロットマシン等に使用されるリール表示器に関する。
【背景技術】
【０００２】
従来、６個のリールを回転駆動させる６リール表示器や９個のリールを回転駆動させる９リール表示器が使用されているが、ゲーム内の演出がメインリール、照明、音等によるものに限られ、展開に限度があるという欠点があった。
【特許文献１】特になし
【発明の開示】
【発明が解決しようとする課題】
【０００３】
本発明は以上のような従来の欠点に鑑み、3個のリールの内の１個以上あるいは中央部、上部、下部のリールの表示部を見えたり、見えなくなるように回動させる回動カバーを、モータを用いた回動カバー開閉装置によって回動させて、より多彩な展開を行なうことができる、ゲーム者に期待感を与えることができ、飽きられることのない表示器を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は縦方向あるいは横方向に３個それぞれリール駆動モータで駆動されるリールが整列された表示器において、３個のリールの内の１個以上のリール表示部を見えたり、見えなくすることができるように回動する回動カバー、この回動カバーをリールの表示部が見えたり、見えなくなるように回動させるモータを用いた回動カバー開閉機構とからなるシャッタを備えて表示器を構成している。
【０００６】
本発明は縦方向と横方向に３個ずつそれぞれリール駆動モータで駆動されるリールが整列された９リール表示器において、９個のリールの内の中央部のリールの表示部を見えたり、見えなくすることができるように回動する中央回動カバー、この中央回動カバーを中央部のリールの表示部が見えたり、見えなくするように回動させるモータを用いた中央回動カバー開閉機構からなる中央シャッタと、前記９個のリールの内の上部列の３個のリールあるいは上部列の両端部のリールおよび下部列の３個のリールあるいは下部列の両端部のリールの表示部を見えたり、見えなくすることができるように回動する上・下部の回動カバー、この上・下部の回動カバーのリールの表示部が見えたり、見えなくなるように回動させるモータを用いた上・下部の回動カバー開閉機構とからなる上・下部のシャッタとで表示器を構成している。
【発明の効果】
【０００７】
以上の説明から明らかなように、本発明にあっては次に列挙する効果が得られる。
【０００８】
（１）縦方向あるいは横方向に３個それぞれリール駆動モータで駆動されるリールが整列された表示器において、３個のリールの内の１個以上のリール表示部を見えたり、見えなくすることができるように回動する回動カバー、この回動カバーをリールの表示部が見えたり、見えなくなるように回動させるモータを用いた回動カバー開閉機構とからなるシャッタとで構成されているので、３個のリールの内の１個以上のリールの表示部をシャッタによって見えたり、見えなくすることができる。
したがって、例えばリーチがかかるとシャッタが閉じて見えなくし、確定後、シャッタが開いて見えるようにすることにより、より多くの期待感が得られる表示にできる。
【０００９】
（２）前記（１）によって、機械的に３個のリールの内の１個以上のリールの表示部を見えたり、見えなくできる。
したがって、デジタル表示に比べアナログ表示となるため、ゲーム者に表示に対する信頼感が得られる。
【００１０】
（３）前記（１）によって、従来の表示の演出に比べ、回動カバーの回動によってリールの表示が見えたり、見えなくすることができ、より多彩な演出を行なうことができる。
【００１１】
（４）請求項２も前記（１）〜（３）と同様な効果が得られる。
【００１２】
（５）請求項３も前記（１）〜（３）と同様な効果が得られるとともに、ラック板の上下移動によりセンシングするので、シャッタ駆動用モータの駆動軸やピニオンでセンシングするものに比べ正確にセンシングすることができるとともに、ラック板の移動方向が異なるので、制御が簡単にできる。
【発明を実施するための最良の形態】
【００１３】
以下、図面に示す本発明を実施するための最良の形態により、本発明を詳細に説明する。
【００１４】
図１ないし図１１に示す本発明を実施するための最良の第１の形態において、１はパチンコやスロットマシン等の表示器として使用することができる本発明の表示器で、この表示器１は浅皿状の四角箱状のボックス２と、このボックス２内に収納された縦方向に３個のリール３、３、３が整列された３個のリールユニット４、４Ａ、４Ａと、前記ボックス２の開口部５側に取付けられた縦方向と横方向に３個ずつ整列するように開口部６が形成されたマスク７とからなり、前記リールユニット４、４Ａ、４Ａの一端部側のリールユニット４は取付ベース８と、この取付ベース８の外側に配置される一側面に取付けられた基板９と、この基板に所定間隔で縦方向に取付けられたリール駆動用モータ１０、１０、１０と、このリール駆動用モータ１０、１０、１０を覆うように、該リール駆動用モータ１０、１０、１０の駆動軸１１、１１、１１に取付けられた円筒状のリール３、３、３と、前記取付ベース８の一側面の上下部に取付けられたスペーサ１２、１２と、前記リール３、３、３の背面側の前記基板９の中央部と下部位置に取付けられたシャッタ駆動用モータ１３、１３と、前記取付ベース８の内側に配置される他側面の上下部位の前記リール駆動モータ１０、１０の軸心とほぼ同じ軸心となる軸１４、１４に回転可能に取付けられた円弧状の外周部の一部に歯車の歯１５が形成された回動カバー支持板１６、１６、この回動カバー支持板１６、１６に一端部が一体に形成された前記マスク７、７の開口６、６から前記リール３、３の表示部３ａ、３ａを見えたり、見えなくするようにカバーする円弧状のカバー板１７、１７とからなる回動カバー１８、１８と、前記取付ベース８の内側に配置される他側面の中央部の前記リール駆動モータ１０の軸心とほぼ同じ軸心となる軸１９に回転可能に取付けられた外周部に歯車の歯２０が形成された中央回動カバー支持板２１、この中央回動カバー支持板２１の対向する位置に一端部が一体に形成された、前記マスク７の開口６から前記中央のリールユニット４Ａの中央部のリール３の表示部３ａを見えたり、見えなくするようにカバーする円弧状のカバー板２２、２２とからなる中央回動カバー２３と、この中央回動カバー２３の中央回動カバー支持板２１の歯２０と噛み合うように、前記シャッタ駆動用モータ１３の駆動軸２４に取付けられたピニオン２５、このピニオン２５と噛み合うラック２６が形成された前記取付ベース８に形成された上下方向の勘合突起２７、２７に沿って上下移動するラック板２８、このラック板２８の上端部および中央部より外方へ突出するように形成された遮光板２９、３０、前記ラック板２８が下部に位置して前記中央回動カバー２３の一方のカバー板２２で表示部３ａを覆っている場合に、前記上端部の遮光板２９の位置している部位、前記ラック板２８が中央部まで移動して中央回動カバー２３の両方のカバー板２２、２２が表示部３ａを覆わない状態で、前記上端部の遮光板２９および中央部の遮光板３０の位置している部位および前記ラック板２８が上部へ移動して、中央回動カバー２３の他方のカバー板２２で表示部３ａを覆っている場合に、前記中央部の遮光板３０が位置している部位の取付ベース８に取付けられたフォトセンサ３１、３２とからなる中央回動カバー開閉機構３３と、前記回動カバー１８、１８の回動カバー支持板１６、１６の歯１５、１５と噛み合うように、前記取付ベース８に取付けられたピニオン３４、３５と、この一方のピニオン３４と噛み合うラック３６および前記他方のピニオン３５と逆回転歯車３７を介して噛み合うラック３８が設けられたピン３９、３９と係合する長孔４０、４０を有する上下移動可能なラック板４１、このラック板４１の下端部寄りの部位に外方へ突出するように形成された遮光板４２、前記回動カバー１８、１８のカバー板１７、１７が表示部３ａ、３ａを覆わない開放状態の時、前記遮光板４２の位置する部位およびカバー板１７、１７が表示部３ａ、３aを覆っている状態の時、前記遮光板４２の位置する取付ベース８に取付けられたフォトセンサ４３、４４とからなる上下部の回動カバー開閉機構４５とで構成されている。
【００１５】
前記中央部のリールユニット４Ａおよび他端部のリールユニット４Ａは、前記一端部のリールユニット４から中央回動カバー２３と中央回動カバー開閉機構３３とを取り外した図７および図８に示すように構成されている。
【００１６】
なお、前記リール駆動用モータ１０、１０、１０、１０、１０、１０、１０、１０、１０およびシャッタ駆動用モータ１３、１３、１３、１３は基板９、９、９に設けられた制御回路４６、４６、４６と、フォトセンサ３１、３２、４３、４４、３１、３２、３１、３２とからの信号によって、９個のリール３、３、３、３、３、３、３、３、３の回転や回動カバー１８、１８、１８、１８、１８、１８、２３の回動は制御される。
さらに、中央回動カバー２３の中央回動カバー支持板２１、２１の一方の中央回動カバー支持板２１で覆う場合、他方の中央回動カバー支持板２１で覆う場合、両方の中央回動カバー支持板２１、２１で覆わない場合のポジションはフォトセンサ２個のＯＮとＯＦＦで判別を行なう。その際、２個のフォトセンサのＯＮするタイミングをズラすことで、ラックの上移動と下移動を差別化することができる。
【００１７】
上記構成の表示器１はマスク７の９個の開口６、６、６、６、６、６、６、６、６が開口した状態で、リール駆動用モータ１０、１０、１０、１０、１０、１０、１０、１０、１０の駆動によってリール３、３、３、３、３、３、３、３、３は回転する。
この９個のリール３、３、３、３、３、３、３、３、３の回転により、中央部の横列の両端部が同じ表示となり、リーチが完成すると、上下部の回動カバー開閉機構４５、中央回動カバー開閉機構３３および上・下部の回動カバー開閉機構４５、４５のシャッタ駆動モータ１３、１３、１３、１３の駆動によって、上部のリール３、３、３、中央部のリール３および下部のリール３、３、３が回動カバー１８、１８、１８、１８、１８、１８、２３によって覆われ、該リール３、３、３、３、３、３、３の表示が見えない状態となる。
リーチが確定すると、回動カバー１８、１８、１８、１８、１８、１８、２３で覆われていたリール３、３、３、３、３、３、３の表示部３ａ、３ａ、３ａ、３ａ、３ａ、３ａ、３ａが見えて、外れか、１ラインから８ラインの当りの表示が現れる。
なお、上下部の回動カバー開閉機構４５のシャッタ駆動用モータ１３の励磁パターン及び位置検出信号出力のパターンは図１０に示すようになり、中央回動カバー開閉機構３３のシャッタ駆動用モータ１３の励磁パターン及び位置検出信号出力のパターンは図１１に示すようになる。
【００１８】
上下シャッタの具体的な動作は、図６に示すようにポジションＡの場合には上下シャッタが全開状態でラック板４１に形成された遮光板４２がフォトセンサ４３により検出され、フォトセンサ４３の出力がOＮになる。この時、フォトセンサ４４はＯＦＦ状態になっている。
ポジションＢの場合には、上下部の回動カバー開閉機構４５のシャッタ駆動用モータ１３を駆動すると、ピニオン３４が回動し、下部の回動カバー１８の外周部に形成された歯１５を介して下部の回動カバー１８に伝達され、下部の回動カバー１８を閉じる方向に回転するとともに、ラック板４１に形成されたラック３６に伝達され、ラック板４１が図中上方に移動して、フォトセンサ４３がＯＦＦとなる。これと同時にラック板４１に形成されたラック３８から、ピニオン３５および上部の回動カバー１８の外周部に形成された歯１５を介して上部の回動カバー１８に伝達され、上部の回動カバー１８を閉じる方向に回転する。この時、フォトセンサ４４はＯＦＦ状態になっている。
ポジションＣの場合には、前記シャッタ駆動用モータ１３を駆動し続けると、ラック板４１に形成された遮光板４２がフォトセンサ４４により検出され、フォトセンサ４４の出力がOＮになり、そこから４ステップ分駆動を続けた後、シャッタ駆動用モータ１３が停止する。この時、上部の回動カバー１８と下部の回動カバー１８は全閉状態となり、フォトセンサ４３はＯＦＦ状態になっている。
【００１９】
中央シャッタの具体的な動作は、図５に示すように、ポジションＡの場合にはフォトセンサ３１はＯＦＦ、フォトセンサ３２はOＮ状態である。
ポジションＢの場合には、フォトセンサ３１とフォトセンサ３２はともにOＮ状態である。
ポジションＣの場合には、フォトセンサ３１はOＮ、フォトセンサ３２はＯＦＦ状態となっており、ポジションＡおよびポジションＣの状態に付いては概ね上下シャッタの動作と同じで、ポジションＢに付いてはフォトセンサ３１とフォトセンサ３２の出力がともにOＮになってから４ステップ分駆動を続けた後、シャッタ駆動用モータ１３が停止する点は似ているが、回転方向を検出するため、遮光板２９と遮光板３０とは、進行方向(回転方向)によりフォトセンサ３１とフォトセンサ３２がOＮになるタイミングがずれるように位相をずらして配置されている。
このため、ポジションＡからポジションＢへ移動する場合、
ポジションＡの状態では、遮光板２９がフォトセンサ３２により検出され、フォトセンサ３２の出力がOＮになっているがシャッタ駆動用モータ１３を駆動することにより、ラック板２８が図中上方に移動し、フォトセンサ３２がＯＦＦとなる。
ポジションＢに近づくと、遮光板２９がフォトセンサ３１により検出され、フォトセンサ３１の出力がOＮになるが、まだ、この時点ではフォトセンサ３２はＯＦＦである。
さらに、ポジションＢに近づくと、遮光板３０がフォトセンサ３２により検出され、フォトセンサ３２の出力がOＮになる。
フォトセンサ３２の出力がOＮになってから、４ステップ分駆動を続けた後、シャッタ駆動用モータ１３が停止する。  
ポジションＣからポジションＢへ移動する場合、
ポジションＣの状態では、遮光板３０がフォトセンサ３１により検出され、フォトセンサ３１の出力がOＮになっているが、シャッタ駆動用モータ１３を駆動することにより、ラック板２８が図中下方に移動し、フォトセンサ３１がＯＦＦとなる。
ポジションＢに近づくと、遮光板３０がフォトセンサ３２により検出され、フォトセンサ３２の出力がOＮになるが、まだ、この時点ではフォトセンサ３１はＯＦＦである。
さらにポジションＢに近づくと、遮光板２９がフォトセンサ３１により検出され、フォトセンサ３１の出力もOＮになる。
フォトセンサ３１の出力がOＮになってから、４ステップ分駆動を続けた後、シャッタ駆動用モータ１３が停止する。
このように、回転方向の違いにより、フォトセンサ３１とフォトセンサ３２がOＮになるタイミングが異なるように成っている。
なお、本発明の実施の形態ではラック板２８の上下移動によりセンシングするので、シャッタ駆動用モータ１３の駆動軸やピニオンでセンシングするものに比べ正確にセンシングすることができるとともに、ラック板２８の移動方向が異なるので、制御が簡単にできる。
[発明を実施するための異なる形態]
【００２０】
次に、図１２ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１２ないし図１４に示す本発明を実施するための第２の形態において、前記本発明を実施するための最良の第１の形態と主に異なる点は、一端部と他端部側のリールユニット４、４Ａの上下部の回動カバー開閉機構４５、４５と、中央部のリールユニット４Ａの上下部の回動カバー開閉機構４５を異なる状態で開閉できるようにした制御回路４６Ａ、４６Ａ、４６Ａを用いた点で、このように構成した表示器１Ａにしても、前記本発明を実施するための最良の第１の形態と同様な作用効果が得られる。
【００２２】
図１５ないし図２２に示す本発明を実施するための第３の形態において、前記本発明を実施するための最良の第１の形態と主に異なる点は、位置検出センサ４8をそれぞれ備えたモータやステッピングモータ４７、４７、４７、４７、４７、４７、４７、４７、４７を直接回動カバー１８、１８、１８、１８、１８、１８、１８、１８および中央部の回動カバー２３を回動できるように取付けた点で、このように構成した表示器１Ｂにすることにより、回動カバー１８、１８、１８、１８、１８、１８、１８、１８や中央回動カバー２３を任意に回動させてリール３、３、３、３、３、３、３、３、３の表示部３ａ、３ａ、３ａ、３ａ、３ａ、３ａ、３ａ、３ａ、３ａを見えたり、見えなくする演出を多彩に行なうことができる。
なお、取付ベース８の軸１４、軸１９、軸１４に取付けられる上回動カバー支持板１６、中央回動カバー支持板２１、下回動カバー支持板１６で覆われる部位の取付ベース８にフォトセンサ４９、５０、５１が設けられるとともに、このフォトセンサ４９、５０、５１と対応する部位の上回動カバー支持板１６、中央回動カバー支持板２１、下回動カバー支持板１６に遮光板５２、５３、５４が設けられている。
シャッタを個別稼動する場合の上下シャッタの開閉は、そのシャッタが完全に開いている状態もしくは閉じている状態のいずれかの状態で、フォトセンサがOＮ状態で基準励磁相となる位置を原点として、そのシャッタを稼動するステッピングモータに、原点から開閉に要するステップ数分の信号を送ることにより行う。
シャッタを個別稼動する場合の中央シャッタの開閉は、上下シャッタと同様に、中央シャッタを稼動するステッピングモータに、原点から次のポジションに移動（開閉動作）するのに要するステップ数分の信号を送ることにより行う。
例えば、シャッタがポジションＢの状態において、フォトセンサがOＮ状態となるようにフォトセンサを配置し、フォトセンサがOＮ状態で基準励磁相となる位置を原点とした場合の、ポジションＢからポジションＡへの移動(開閉動作)やポジションＣへの移動(開閉動作)は次のように成る。 
ポジションＣへの移動(開閉動作)は原点（ポジションＢ）からモータ出力軸ＣＷ方向に、ポジションＣに移動(開閉動作)するのに要するステップ数分回転させて行う。
逆に、ポジションＡへの移動(開閉動作)は原点（ポジションＢ）からモータ出力軸ＣＣＷ方向に、ポジションＡに移動するのに要するステップ数分回転させて行う。
また、ポジションＡからポジションＣへの移動(開閉動作)は、ポジションＡからモータ出力軸ＣＷ方向に、ポジションＣに移動するのに要するステップ数分(ポジションＡからポジションＢに移動するのに要するステップ数分＋ポジションＢからポジションＣに移動するのに要するステップ数分)回転させて行う。
同様に、ポジションＣからポジションＡへの移動(開閉動作)は、ポジションＣからモータ出力軸ＣＣＷ方向に、ポジションＡに移動するのに要するステップ数分(ポジションＣからポジションＢに移動するのに要するステップ数分＋ポジションＢからポジションＡに移動するのに要するステップ数分)回転させて行う。
ここでは、中央シャッタの原点をポジションＢとしたが、ポジションＡやポジションＣにフォトセンサを配置することにより、ポジションＡやポジションＣを原点とすることもできる。 
【００２３】
シャッタを個別稼動する場合における上下シャッタの励磁パターン及び位置検出信号の出力のパターンは図２１に示すようになり、シャッタを個別稼動する場合における中央シャッタの励磁パターン及び位置検出信号の出力のパターンは図２２に示すようになる。
なお、位置検出信号がＨＩ（ハイ）になって、４ステップ進んだ所(基準励磁相)が原点となる。上下シャッタの場合、この原点から１９２ステップ進むとシャッタ閉からシャッタ開の状態になる。同様に中央シャッタの場合、ポジションＢからモータ出力軸ＣＣＷ方向に２１６ステップ進むとポジションＡに、逆にポジションＢからモータ出力軸ＣＷ方向に２１６ステップ進むとポジションＣになる。
【００２４】
なお、前記本発明の各実施の形態ではボックス２内に縦方向に３個のリール３、３、３が整列された３個のリールユニット４、４Ａ、４Ａとを並列する９個のリールを使用する表示器１、１Ａ、１Ｂについて説明したが、本発明はこれにかぎらず、ボックス２内にリールユニット４あるいはリールユニット４Ａだけを縦方向設置したり、ボックス２内に２個のリールユニット４、4、２個のリールユニット４Ａ、４Ａあるいはリールユニット４とリールユニット４Ａとを設置した表示器にしても良い。
また、ボックス２内にリールユニット４あるいはリールユニット４Ａだけを横方向設置しても良い。
この場合、リール３、３、３の表示を正しく見えるように方向を代える。
【産業上の利用可能性】
【００２５】
本発明は表示器を製造する産業で利用される。
【図面の簡単な説明】
【００２６】
【図１】本発明を実施するための最良の第１の形態の斜視図。
【図２】本発明を実施するための最良の第１の形態の分解斜視図。
【図３】本発明を実施するための最良の第１の形態の一端部側のリールユニットの斜視図。
【図４】本発明を実施するための最良の第１の形態の一端部側のリールユニットの分解斜視図。
【図５】本発明を実施するための最良の第１の形態の中央回動カバー開閉機構の説明図。
【図６】本発明を実施するための最良の第１の形態の上下部の回動カバーの開閉機構の説明図。
【図７】本発明を実施するための最良の第１の形態の中央部のリールユニットの斜視図。
【図８】本発明を実施するための最良の第１の形態の他端部側のリールユニットの斜視図。
【図９】本発明を実施するための最良の第１の形態の表示の動作説明図。
【図１０】上下部の回動カバー開閉機構の励磁パターン及び位置検出信号出力のパターン
【図１１】中央回動カバー開閉機構の励磁パターン及び位置検出信号出力のパターン
【図１２】本発明を実施するための第２の形態の斜視図。
【図１３】本発明を実施するための第２の形態の一端部側のリールユニットの分解斜視図。
【図１４】本発明を実施するための第２の形態の表示の動作説明図。
【図１５】本発明を実施するための第３の形態の斜視図。
【図１６】本発明を実施するための第３の形態の一端部側のリールユニットの斜視図。
【図１７】本発明を実施するための第３の形態の一端部側のリールユニットの分解斜視図。
【図１８】本発明を実施するための第３の形態の一端部側のリールユニットの裏側の斜視図。
【図１９】本発明を実施するための第３の形態の一端部側のリールユニットの裏側の分解斜視図。
【図２０】本発明を実施するための第３の形態の表示の動作説明図。
【図２１】シャッタ個別稼動な場合における上下シャッタの励磁パターン及び位置検出信号出力のパターン。
【図２２】シャッタ個別稼動な場合における中央シャッタの励磁パターン及び位置検出信号出力のパターン。
【符号の説明】
【００２７】
１、１Ａ、１Ｂ：表示器、
２：ボックス、                ３：リール、
４、４Ａ：リールユニット、    ５：開口部、            
６：開口、                    ７：マスク、
８：取付ベース、              ９：基板、
１０：リール駆動用モータ、    １１：駆動軸、
１２：スペーサ、              １３：シャッタ駆動モータ、
１４：軸                      １５：歯、
１６：回動カバー支持板、      １７：カバー板、
１８：回動カバー、            １９：軸、
２０：歯、                    ２１：中央回動カバー支持板、
２２：カバー板、              ２３：中央回動カバー、
２４：駆動軸、                ２５：ピニオン、
２６：ラック、                ２７：勘合突起、
２８：ラック板、              ２９、３０：遮光板、
３１、３２：フォトセンサ、    ３３：中央回動カバー開閉機構、
３４、３５：ピニオン、        ３６：ラック、
３７：逆回転歯車、            ３８：ラック、
３９：ピン、                  ４０：長孔、
４１：ラック板、              ４２：遮光板、
４３、４４：フォトセンサ、
４５：上下部の回動カバー開閉機構、
４６、４６Ａ：制御回路、      ４７：ステッピングモータ、
４8：位置検出センサ。
【図１】
2009291442.tif 000003
【図２】
2009291442.tif 000004
【図３】
2009291442.tif 000005
【図４】
2009291442.tif 000006
【図５】
2009291442.tif 000007
【図６】
2009291442.tif 000008
【図７】
2009291442.tif 000009
【図８】
2009291442.tif 000010
【図９】
2009291442.tif 000011
【図１０】
2009291442.tif 000012
【図１１】
2009291442.tif 000013
【図１２】
2009291442.tif 000014
【図１３】
2009291442.tif 000015
【図１４】
2009291442.tif 000016
【図１５】
2009291442.tif 000017
【図１６】
2009291442.tif 000018
【図１７】
2009291442.tif 000019
【図１８】
2009291442.tif 000020
【図１９】
2009291442.tif 000021
【図２０】
2009291442.tif 000022
【図２１】
2009291442.tif 000023
【図２２】
2009291442.tif 000024